(57)【要約】【課題】プラグ−プラグ接続を行う光コネクタの接続作業性や信頼性を向上できるようにする。【解決手段】受け側コネクタと係合する係合部材と、係合部材に対して前後動可能に外挿した筒状のハウジングとを有する光コネクタを、受け側コネクタに接続するための光コネクタ接続治具１であって、コ字断面をなす、第１底部６１とその両側の第１側壁部４１，４１とを有し、それらで囲まれた第１空間４３に光コネクタを収容可能な第１収容部５と、第１空間４３内の後方に配置され、第１収容部５に収容された光コネクタに当接して後退可能な受け部３３と、を備え、第１底部６１および両側の第１側壁部４１，４１のうちのいずれかに、第１収容部５に収容された光コネクタのうちのハウジングのみについて受け部３３とともに所定距離以上後退しないように規制する第１規制部を設ける光コネクタ接続治具を提供する。【選択図】図３
2012058392.tif 000002
【特許請求の範囲】
【請求項１】
受け側コネクタと係合する係合部材と、前記係合部材に対して前後動可能に外挿した筒状のハウジングとを有する光コネクタを、前記受け側コネクタに接続するための光コネクタ接続治具であって、
コ字断面をなす、第１底部とその両側の第１側壁部とを有し、それらで囲まれた第１空間に前記光コネクタを収容可能な第１収容部と、
前記第１空間内の後方に配置され、前記第１収容部に収容された前記光コネクタに当接して後退可能な受け部と、
を備え、
前記第１底部および前記両側の第１側壁部のうちのいずれかに、前記第１収容部に収容された前記光コネクタのうちの前記ハウジングのみについて前記受け部とともに所定距離以上後退しないように規制する第１規制部を設ける光コネクタ接続治具。
【請求項２】
前記受け部は、付勢部材によって前記ハウジングに対して前方に付勢されている請求項１に記載の光コネクタ接続治具。
【請求項３】
前記両側の第１側壁部に、前記第１収容部に収容された前記光コネクタが前後方向に交差する方向へ離脱するのを防止する把持部を設ける請求項１又は２に記載の光コネクタ接続治具。
【請求項４】
コ字断面をなす、第２底部とその両側の第２側壁部とを有し、それらで囲まれた第２空間に前記コネクタを収容可能な第２収容部をさらに備え、
前記第２底部および前記両側の第２側壁部のうちのいずれかに、前記第２収容部に収容された前記光コネクタのうちの前記ハウジングのみについて前進しないように規制する第２規制部を設ける請求項１〜３のいずれか１項に記載の光コネクタ接続治具。
【請求項５】
前記両側の第２側壁部に、前記第２収容部に収容された前記光コネクタが前後方向に交差する方向へ離脱するのを防止する把持部を設ける請求項４に記載の光コネクタ接続治具。
【請求項６】
前記光コネクタ接続治具は、略直方体状であり、対向する２つの面に、それぞれ、前記第１収容部、前記第２収容部を設け、他の対向する２つの面に、突起状の操作部を設けた請求項４又は５に記載の光コネクタ接続治具。
【請求項７】
前記第１収容部と前記第２収容部とは、前記第１収容部に収容される前記光コネクタの向きと前記第２収容部に収容される前記光コネクタの向きとが、互いに反対になるように構成されている請求項４〜６のいずれか１項に記載の光コネクタ接続治具。
【請求項８】
受け側コネクタと係合する係合部材と、前記係合部材に対して前後動可能に外挿した筒状のハウジングとを有する光コネクタを、前記受け側コネクタに接続するための光コネクタ接続方法であって、
前記係合部材の一部を前記ハウジングから突出させた状態で、前記光コネクタを前方に移動させる工程と、
前記受け側コネクタと前記係合部材とを係合させる工程と、
前記光コネクタのうちの前記ハウジングのみを前記係合部材に対して所定距離以上後退しないように規制した状態で、前記ハウジングを前記係合部材側に前進させる工程と、を順に有する光コネクタ接続方法。
【発明の詳細な説明】
【技術分野】
【０００１】
本発明は、プラグ−プラグ接続を行う光コネクタの接続作業性を向上できるようになった光コネクタ接続治具及び光コネクタ接続方法に関する。
【背景技術】
【０００２】
近年、高性能なコンピュータやコンピュータシステムにあっては、光電気複合基板を多数搭載して、それらの基板間を光ファイバを用いて光通信することが行われている。このため、回路基板上にて光ファイバのコネクタ接続を行いたいという要求がある。
【０００３】
かかる要求に対しては、例えば、ＭＰＯ（Multi-fiber Push On）形光コネクタ（例えば非特許文献１のＪＩＳ  Ｃ  ５９８２に制定されるＦ１３形光コネクタ）などを用いたプラグ−アダプタ−プラグ接続システムが考えられる。ただし、アダプタが必須なため、部品点数が多く、結果、高コストとなってしまう。
【０００４】
また、アダプタを用いないプラグ−プラグ接続システムも考えられる。このシステムでは、例えば、受け側コネクタに係合される係合部材と、その係合部材に対して前後動可能に外挿した筒状のハウジングを有する光コネクタが用いられる。この光コネクタでは、係合部材が係合すると、係合した係合部材に対してハウジングが前方に移動可能となり、前方に移動したハウジングの内側に係合部材が当接する。これにより、係合状態を保持することができるようになっている。
【先行技術文献】
【非特許文献】
【０００５】
【非特許文献１】日本規格協会、「Ｆ１３形多心光ファイバコネクタ  Ｃ  ５９８２：1997」、ＪＩＳハンドブック  電子  試験方法・オプトエレクトロニクス編、発行所：財団法人日本規格協会、１９９８年４月２４日。
【発明の概要】
【発明が解決しようとする課題】
【０００６】
しかしながら、上述した係合部材とハウジングを有する光コネクタでは、係合部材を操作して受け側コネクタに係合させたり、係合部材とハウジングを操作してハウジングを係合部材に対して前方に移動させたりする必要がある。これらの接続作業は非常に煩雑であり、作業性が低かった。
また、ハウジングと係合部材の構造を工夫して、例えば、ハウジングだけを操作して、係合部材を受け側コネクタに係合させるとともに、ハウジングを係合部材に対して前方に移動させるようにすることもできる。しかしながら、その場合、操作を行うハウジングを介して係合部材に間接的に力がかかるため、ハウジングと係合部材に無理な力が働くことがあり、その結果、コネクタが破損する可能性もあった。
【０００７】
この発明は、このような事情を考慮してなされたもので、プラグ−プラグ接続を行う光コネクタの接続作業性や信頼性を向上できるようにするものである。
【課題を解決するための手段】
【０００８】
本発明の請求項１に係る光コネクタ接続治具は、受け側コネクタと係合する係合部材と、前記係合部材に対して前後動可能に外挿した筒状のハウジングとを有する光コネクタを、前記受け側コネクタに接続するための光コネクタ接続治具であって、コ字断面をなす、第１底部とその両側の第１側壁部とを有し、それらで囲まれた第１空間に前記光コネクタを収容可能な第１収容部と、前記第１空間内の後方に配置され、前記第１収容部に収容された前記光コネクタに当接して後退可能な受け部と、を備え、前記第１底部および前記両側の第１側壁部のうちのいずれかに、前記第１収容部に収容された前記光コネクタのうちの前記ハウジングのみについて前記受け部とともに所定距離以上後退しないように規制する第１規制部を設けることを特徴としている。
【０００９】
本発明の請求項２に係る光コネクタ接続治具は、請求項１に記載の光コネクタ接続治具において、前記受け部は、付勢部材によって前記ハウジングに対して前方に付勢されていることを特徴としている。
本発明の請求項３に係る光コネクタ接続治具は、請求項１又は２に記載の光コネクタ接続治具において、前記両側の第１側壁部に、前記第１収容部に収容された前記光コネクタが前後方向に交差する方向へ離脱するのを防止する把持部を設けることを特徴としている。
【００１０】
本発明の請求項４に係る光コネクタ接続治具は、請求項１〜３のいずれか１項に記載の光コネクタ接続治具において、コ字断面をなす、第２底部とその両側の第２側壁部とを有し、それらで囲まれた第２空間に前記コネクタを収容可能な第２収容部をさらに備え、前記第２底部および前記両側の第２側壁部のうちのいずれかに、前記第２収容部に収容された前記光コネクタのうちの前記ハウジングのみについて前進しないように規制する第２規制部を設けることを特徴としている。
【００１１】
本発明の請求項５に係る光コネクタ接続治具は、請求項４に記載の光コネクタ接続治具において、前記両側の第２側壁部に、前記第２収容部に収容された前記光コネクタが前後方向に交差する方向へ離脱するのを防止する把持部を設けることを特徴としている。
【００１２】
本発明の請求項６に係る光コネクタ接続治具は、請求項４又は５に記載の光コネクタ接続治具において、前記光コネクタ接続治具は、略直方体状であり、対向する２つの面に、それぞれ、前記第１収容部、前記第２収容部を設け、他の対向する２つの面に、突起状の操作部を設けたことを特徴としている。
本発明の請求項６に係る光コネクタ接続治具は、請求項４〜６のいずれか１項に記載の光コネクタ接続治具において、前記第１収容部と前記第２収容部とは、前記第１収容部に収容される前記光コネクタの向きと前記第２収容部に収容される前記光コネクタの向きとが、互いに反対になるように構成されていることを特徴としている。
【００１３】
本発明の請求項７に係る光コネクタ接続方法は、受け側コネクタと係合する係合部材と、前記係合部材に対して前後動可能に外挿した筒状のハウジングとを有する光コネクタを、前記受け側コネクタに接続するための光コネクタ接続方法であって、前記係合部材の一部を前記ハウジングから突出させた状態で、前記光コネクタを前方に移動させる工程と、
前記受け側コネクタと前記係合部材とを係合させる工程と、前記光コネクタのうちの前記ハウジングのみを前記係合部材に対して所定距離以上後退しないように規制した状態で、前記ハウジングを前記係合部材側に前進させる工程と、を順に有することを特徴としている。
【発明の効果】
【００１４】
本発明によれば、光コネクタを収容可能な第１収容部を有する光コネクタ接続治具を前方に移動させることによって、係合部材とハウジングを備えた光コネクタを受け側コネクタに接続することができるため、小型の光コネクタであっても、接続作業が行いやすくなる。
また、光コネクタのハウジングの後方への移動が第１規制部によって規制されることにより、係合部材に対して相対的にハウジングを前方に移動させることができるため、光コネクタの挿し込み時の作業性を向上させることができる。
【００１５】
また、把持部を備えた場合には、接続時において、光コネクタが前後方向に交差する方向へ離脱するのを防止することができる。
さらに、第２収容部を備えた場合には、光コネクタ接続治具を後方に移動させることによって、光コネクタを受け側コネクタから取り外すことができるため、小型の光コネクタであっても、操作性よく光コネクタを受け側コネクタから取り外すことができる。
【図面の簡単な説明】
【００１６】
【図１】光コネクタ接続治具の使用状態を示す斜視図である。
【図２】本発明の実施形態の光コネクタ接続治具を示す分解斜視図である。
【図３】光コネクタ接続治具の斜視図であり、（ａ）は通常状態、（ｂ）は後退状態を示す図である。
【図４】光コネクタ接続治具の平面図であり、（ａ）は通常状態、（ｂ）は後退状態を示す図である。
【図５】光コネクタ接続治具の断面図であり、（ａ）は通常状態、（ｂ）は後退状態を示す図である。
【図６】光コネクタ接続治具の下方から見た斜視図である。
【図７】図１のＡ−Ａ線に沿う治具本体の断面図である。
【図８】光コネクタ接続治具を用いて、光コネクタを接続する様子を示す斜視図である。
【図９】光コネクタ接続治具を用いて、光コネクタを接続する様子を示す斜視図である。
【図１０】光コネクタ接続治具を用いた接続工程を示す図である。
【図１１】光コネクタ接続治具を用いた接続工程を示す図である。
【図１２】光コネクタ接続治具を用いた接続工程を示す図である。
【図１３】光コネクタ接続治具を用いた接続工程を示す図である。
【図１４】光コネクタ接続治具を用いて、光コネクタを取り外す様子を示す斜視図である。
【図１５】光コネクタ接続治具を用いた取り外し工程を示す図である。
【図１６】光コネクタ接続治具を用いた取り外し工程を示す図である。
【図１７】光コネクタ接続治具を用いた取り外し工程を示す図である。
【発明を実施するための形態】
【００１７】
以下、本発明の実施の形態について図面を参照して詳細に説明する。図１は、光コネクタ接続治具の使用状態を示す斜視図である。図１に示すように、本発明の実施形態の光コネクタ接続治具１は、光コネクタ８０を第１収容部５（第１空間４３）に収容して光コネクタ８０に装着することによって、光コネクタ８０を回路基板９９に実装された受け側コネクタ９０に、アダプタを使用せずに接続する治具である。
また、この光コネクタ接続治具１は、光コネクタ８０を第２収容部６（第２空間４４）に収容して取り外す治具としての機能を備えている。
【００１８】
ここで、光コネクタ８０は受け側コネクタ９０の係止部９１に係合する一対の弾性片８２を側部に備えた係合部材８１と、この係合部材８１に対して接続方向前方にスプリング８４（図１０参照）を介して付勢されたフェルール８５と、係合部材８１の外側を前後動可能に覆い、係合部材８１の弾性片８２先端の突爪８３の外側への開きを規制して、係合部材８１の係合姿勢を拘束する筒状のハウジング８６とを備えている。
【００１９】
ハウジング８６は、係合部材８１に対して、相対的に、前後方向に移動可能とされている。ハウジング８６を係合部材８１に対して前方に移動させると、ハウジング８６によって、弾性片８２は略覆われ、係合部材８１の係合姿勢は拘束される。また、ハウジング８６を係合部材８１に対して後方に移動させると、弾性片８２の前方部分が露出され、弾性片８２は変形可能となる。また、この状態においては、ハウジング８６の後端部と、係合部材８１の後端部が同一面上となる（図１０参照）。
図１に示す光コネクタ８０は、ハウジング８６が後退し、弾性片８２の前方が露出した状態を示している。
【００２０】
次に、光コネクタ８０の作用について説明する。光コネクタ８０を受け側コネクタ９０に当接させ、さらに、スプリング８４の付勢力に逆らって、光コネクタ８０を受け側コネクタ９０側に押圧すると、係合部材８１の突爪８３が、受け側コネクタ９０の係止部９１に係合する。この状態で、ハウジング８６を接続方向前方に移動させ、係合部材８１の外周からハウジング８６を嵌合させることによって、一対の弾性片８２及び突爪８３が拘束され、弾性片８２が変形不可となる。これにより、光コネクタ８０と受け側コネクタ９０の接続が完了する。
【００２１】
この光コネクタ８０は、上述したような構成としたため、従来のＭＰＯ型光コネクタと比較して、厚み寸法を縮小（薄型化）することができる。従来のＭＰＯ型光コネクタは、コネクタ自体の厚みが大きいため、並列に設置される回路基板同士の間隔が大きくなってしまうことに対し、この光コネクタ８０は回路基板同士の間隔を狭くすることができ、ひいては、光電気複合基板の高密度化と小型化を実現することができる。
【００２２】
次に、光コネクタ接続治具１の詳細について説明する。図２は、本実施形態の光コネクタ接続治具の分解斜視図である。図３は、光コネクタ接続治具１の斜視図であり、（ａ）は通常状態、（ｂ）は押圧部材３が後退していることを示す図である。図４は、光コネクタ接続治具１の平面図である。
【００２３】
図２，３に示すように、光コネクタ接続治具１は、治具本体２と、押圧部材３と、治具本体２と押圧部材３との間に介在して、押圧部材３を光コネクタ８０の接続方向前方に付勢するコイルスプリング４（付勢部材）とを備えている。
以下の説明（図面の簡単な説明も同様）においては、治具本体２に押圧部材３がスプリング４と共に組み合わされている状態（つまり、光コネクタ接続治具１が組立てられた状態）を組合せ状態と称する。また、スプリング４によって、押圧部材３が前方に付勢された状態を通常状態（図３（ａ）参照）と称し、押圧部材３を後方に押圧することによって、押圧部材３が治具本体２に対して相対的に後退している状態を後退状態（図３（ｂ）参照）と称する。
【００２４】
光コネクタ接続治具１は略直方体状であり、対向する２つの面に、それぞれ、第１収容部５、第２収容部６が設けられている。また、他の対向する２つの面である側壁部２５，２５の外面２５ａ，２５ａに、左右一対の突起状の操作部７が設けられている。
光コネクタ接続治具１は、両側壁部２５，２５間に、押圧部材３のスライド部３９をスライド可能に受け入れるガイド部２１を備えている。光コネクタ接続治具１は、ガイド部２１の上面である第１底部６１からから第１側壁部４１，４１が上下に立ち上がることで、上部の前側に、前後方向に沿うコ字断面をなし、これら第１底部６１、及び第１側壁部４１，４１で囲まれた第１空間４３を形成している。第１収容部５は、この第１空間４３に光コネクタ８０を収納可能としている。
また、光コネクタ接続治具１は、ガイド部２１の下面である第２底部６５からから第２側壁部４２，４２が上下に立ち上がることで、下部の後側に、前後方向に沿うコ字断面をなし、これら第２底部６５、及び第２側壁部４２，４２で囲まれた第２空間４４を形成している。第２収容部６は、この第２空間４４に光コネクタ８０を収納可能としている。
【００２５】
第１収容部５は、光コネクタ８０を受け側コネクタ９０に接続する際に、光コネクタ８０を収容させる収容部である。一方、第２収容部６は、光コネクタ８０を受け側コネクタ９０から取り外す際に、光コネクタ８０を収容させる収容部である。つまり、光コネクタ接続治具１は、上下をひっくり返して使用することによって、光コネクタ７０の接続と取り外しを可能としている。
また、第１収容部５と第２収容部６とは、第１収容部５に収容される光コネクタ８０の向きと第２収容部６に収容される光コネクタ８０の向きとが、互いに反対になるように構成されている。
【００２６】
操作部７は、側壁部２５から滑らかに弧状に立ち上がる山形断面形状の部位であって、後面側にはローレット加工が施された押え部７ａが設けられている。操作部７は、光コネクタ接続治具１のやや前方に設けられ、これにより、左右一対の押え部７ａにかかる把持力が光コネクタ接続治具１の前後略中央のガイド部２１にかかるようになっている。
【００２７】
押圧部材３は、前側のスライド部３９と、後側の受け部３３とから構成されており、治具本体２に組み込まれた状態で、治具本体２に対して前後方向に移動可能に構成されている。スライド部３９は、下部のスプリング保持部３１と上部のベース部３２とから構成されている。
ベース部３２は、スプリング保持部３１よりも幅の広い矩形の板状部材であり、スプリング保持部３１は、ベース部３２の前部においてベース部３２の下面３２ｂから下方に突出するブロック状の部材である。
【００２８】
図５にも示すように、スプリング保持部３１には、スプリング４を後面から収容するための第１スプリング収容穴３６が形成され、後述する治具本体２の第２スプリング保持穴２９と協働して、スプリング４を保持する。
【００２９】
ベース部３２の後端には、一対の受け部３３が両角部に形成されている。各受け部３３は、治具本体２の側壁部２５，２５間に収まる間隔に設定され、側壁部２５よりも厚い矩形の板状部材である。受け部３３の外面３３ｂは、ベース部３２の側端面３２ｃに連続し、かつ、ベース部３２の下面３２ｂと受け部３３の下端面３３ａと連続している。また、受け部３３の前端面は受け面３４として構成され、前方に指向している。さらに、ベース部３２の上面３２ａと受け部３３の受け面３４とがなす角部には、面取り部３４ａが形成され、受け面３４が押圧された際に、角部に応力が集中することを回避している。
【００３０】
また、受け部３３，３３には、後端の下部を連結する補強桟３７が形成されており、各受け部３３同士が近づく方向に変形することを防止している。ベース部３３の後端と、補強桟３７と、各受け部３３とによって形成された空間部分が、治具本体２に押圧部材３を組み合わせた状態でスプリング４を挿入する、スプリング挿入孔３８として画定される。なお、ベース部３３の後端と補強桟３７とには、スプリング４の挿入をガイドする傾斜面３８ａが形成されている（図５参照）。
【００３１】
各受け部３３の外面３３ｂには、制限突起３５が設けられている。制限突起３５は、受け部３３の外面３３ｂから光コネクタ接続治具１の幅方向に突出した部位であり、後述する治具本体２の制限孔２３に係合する。各制限突起３５には、制限突起３５の突出高さが外面３３ｂから後方に向かって漸次大きくなる、斜面３５ａが形成されている。
【００３２】
次に、治具本体２について詳細に説明する。図２に示すように、治具本体２の第１収容部５は、光コネクタ８０をハウジング８６ごと受け入れて保持するため、ガイド部２１の上面である第１底部６１と第１側壁部４１とで形成されている。
また、第１側壁部４１には、光コネクタ８０のハウジング８６に形成されている凸部８７（図１参照）が係止する第１規制部６２が形成されており、光コネクタ８０が収容された際、光コネクタ８０の凸部５２が第１規制部６２を越えて後方に移動することを阻止している。第１規制部６２によって画定される空間には、光コネクタ８０のハウジング８６の後部８６ａが収容可能となっている。
さらに、第１収容部５には、第１側壁部４１の上端が治具本体２の内側に向かって突設するコネクタ把持部６３（把持部）が設けられている。このコネクタ把持部６３によって、前後方向（接続方向）に交差する方向（上下方向）への光コネクタ８０の抜けを防止している。
【００３３】
図６に示すように、第２収容部６は、光コネクタ８０をハウジング８６ごと受け入れて保持するため、ガイド部２１の下面である第２底部６５と第２側壁部４２とで形成されている。また、第２側壁部４２には、光コネクタ８０のハウジング５１に形成されている凸部５２が係止する第２規制部６６が形成されている。さらに、第２収容部６には、第２側壁部４２の上端が治具本体２の内側に向かって突設するコネクタ把持部６７（把持部）が設けられている。
【００３４】
図２に示すように、治具本体２のガイド部２１には、押圧部材３のスライド部３９が挿入されるガイド孔２２が形成されている。ガイド孔２２の断面形状は、スライド部３９の断面形状に対応する形状とされている。具体的には、スライド部３９のベース部３３に対応する水平部２２ａと、スプリング保持部３１に対応する中央部２２ｂとから略Ｔ字状に形成されている。
ガイド孔２２は、前後方向に貫通してはおらず（図７参照）、治具本体２の後端側に形成されたスプリング保持壁２８を基端としている。スプリング保持壁２８のガイド孔２２延長線上に対応する位置には、第２スプリング保持穴２９が形成されている。この第２スプリング保持穴２９は、上述した第１スプリング保持穴３６と協働してスプリング４を保持する。
【００３５】
また、治具本体２は、上部後方から押圧部材３を挿入可能に形成されている。具体的には、図７に示すように、第１収容部５の第１底部６１の後端を前後方向略中央部までとし、後方側を押圧部材挿入穴２７としており、治具本体２の上部から、ガイド孔２２にアクセスが可能になっている。この挿入穴２７に押圧部材３のスプリング保持部３１を挿入後、押圧部材３を前方にスライドさせ、上述したガイド孔２２にスプリング保持部３１を挿入することで組合せ状態とすることができる。
また、側壁部２５は、押圧部材３を挿入する際に、受け部３３の制限突起３５によって押し広げられ、容易に撓むことができるような厚さに形成されている。さらに、押圧部材３を挿入した組合せ状態において、受け部３３の外面３３ｂと、側壁部２５の他面２５ｂとが当接するように構成されている。
【００３６】
治具本体２の側壁部２５には、上述した操作部７の斜め後方上部に制限孔２３が設けられている。制限孔２３は、組合せ状態において、押圧部材３の制限突起３５が係止する。制限孔２３は、光コネクタ接続治具１が後退状態とされたとき、制限突起３５の後端が、制限孔２３の後端２３ｂに当接するように形成されている。
【００３７】
次に、光コネクタ接続治具１の可動範囲について説明する。上述したように、光コネクタ接続治具１は、図２（ａ）等に示すような通常状態と、図２（ｂ）等に示すような後退状態とをとることができる。通常状態においては、スプリング４の付勢力によって、押圧部材３が前方に付勢されている。具体的には、押圧部材３の第１スプリング収容穴３６と、治具本体２の第２スプリング収容穴２９との間に配置されたスプリング４によって、治具本体２のスプリング保持壁２８と、押圧部材３のスプリング保持部３１とが離間する作用が働き、これにより、受け部３３が前方に付勢される。
【００３８】
図５に示すように、受け部３３の受け面３４は、図５（ａ）に示す通常状態において、押圧部材当接部２４に当接するように構成されている。また、受け部３３は、第１収容部５（第１空間）の後方に配置される。これにより、第１規制部６２の当接面６２ａと、受け面３４との位置関係が定められる。通常状態における当接面６２ａと受け面３４との距離Ｌ１は、光コネクタ８０の凸部の後端と、ハウジング５１の後端との距離Ｌ２（図１０参照）と略同じになるように構成されている。
【００３９】
また、図３に最もよく示されているように、後退状態においては、制限突起３５の後端が、制限孔２３の後端２３ｂに当接するように構成されている。これにより、押圧部材３の後退範囲が制限されている。
【００４０】
次に、光コネクタ接続治具１の組み立て方法について説明する。光コネクタ接続治具１を組立てる際は、まず、治具本体２の押圧部材挿入穴２７に押圧部材３のスプリング保持部３１を挿入し、次いで、押圧部材３を前方に移動させることで、スプリング保持部３１をガイド孔２２に挿入させる。この際、制限突起３５が治具本体２の側壁部２５と干渉するが、押圧部材３を前方に移動させる際、制限突起３５の斜面３５ａによって、側壁部２５が押し広げられることで、制限突起３５が側壁部２５に形成されている制限孔２３に係合する。
次いで、図４の断面図に示すように、スプリング挿入孔３８から縮めた状態でスプリング４を挿入し、スプリング４の前端を押圧部材３の第１スプリング収容穴３６に、後端を治具本体２の第２スプリング収容穴２９に当接させる。
【００４１】
次に、本実施形態の光コネクタ接続治具１の作用について説明する。
まず、光コネクタ接続治具１を用いた光コネクタ８０の接続方法について説明する。
図８，図９は、光コネクタ接続治具１を用いて、光コネクタ８０を接続する様子を示す斜視図である。これらの図において、符号９０は、光コネクタ８０が接続される受け側コネクタであり、この受け側コネクタ９０は、基板９９に搭載されている。
【００４２】
まず、光コネクタ８０の接続方向後方から、光コネクタ接続治具１を接近させ、図８に示すように、第１収容部５に光コネクタ８０を収容する。この際、光コネクタ接続治具１は、第１収容部５が下側に、第２収容部６が上になるようにされている。さらに、操作部７を把持し、接続方向前方に光コネクタ接続治具１を動かすことによって、図９に示すように、光コネクタ８０は、受け側コネクタ９０に接続される。
【００４３】
図１０〜図１３を参照して、接続工程の詳細について説明する。
（１）接近段階
図１０は、第１収容部５に光コネクタ８０を収容した状態で、光コネクタ接続治具１を接続方向前方に接近移動させた様子を示している。光コネクタ８０の一対の弾性片８２が外側に弾性変形し、突爪８３の間に受け側コネクタ９０が入り込んだ状態である。この段階において、光コネクタ８０のフェルール８５は、接続方向前方に付勢されている。
【００４４】
この段階において、光コネクタ接続治具１の形態は、スプリング４の付勢力によって通常状態とされている。つまり、押圧部材３は、治具本体２に対して後退していない。ハウジング８６の凸部８７は、治具本体２の第１規制部６２と係合している。さらに、この状態で、ハウジング８６の後端と係合部材８１の後端は、押圧部材３の受け面３４に当接している（ハウジング８６が後退している）。
スプリング４の付勢力により押圧部材３（受け面３４）が後退していないため、光コネクタ接続治具１を接続方向前方に移動させると、ハウジング８６が前方に移動することなく、光コネクタ８０が前方に押される。
【００４５】
（２）光コネクタ当接段階
図１０の状態から、さらに光コネクタ８０を接続方向前方に移動させると、図１１に示すように、フェルール８５と受け側コネクタ９０とが当接する。この状態では、光コネクタ８０のスプリング８４の付勢力により、フェルール８５が前方に位置しているため、突爪８３は、受け側コネクタ９０の係止部９１に係合していない。
【００４６】
（３）突爪係止段階
図１１の状態から、さらに光コネクタ８０を接続方向前方に移動させると、図１２に示すように、受け側コネクタ９０からの押圧力によって、フェルール８５が後退する。フェルール８５が後退することによって、受け側コネクタ９０が光コネクタ８０側に相対的に入り込み、これにより突爪８３が受け側コネクタ９０の係止部９１に係合する。
この際、光コネクタ接続治具１のスプリング４のばね定数が、光コネクタ８０のスプリング８４のばね定数よりも十分大きくされているため、押圧部材３は治具本体２に対して後退しない。つまり、光コネクタ接続治具１は通常状態を保ち、治具本体２と押圧部材３の相対的位置関係が変わらないため、光コネクタ８０のハウジング８６と係合部材８１の相対的位置関係は変化しない。つまり、弾性片８２がハウジング８６に覆われないため、突爪８３の係止動作は阻害されることがない。
【００４７】
（４）弾性片拘束段階
さらに、光コネクタ接続治具１を前方に移動させると、図１３に示すように、治具本体２の第１規制部６２によって、光コネクタ８０のうちのハウジング８６が、所定距離以上後退しないように規制される。この状態で、ハウジング８６の凸部８７が第１規制部６２に押されることによって、ハウジング８６が前方に移動する。このとき、押圧部材３は、受け面３４が係合部材８１の後端に押圧されることによって後退する。ハウジング８６が係合部材８１の外周から嵌合し、係合部材８１の弾性片８２を覆うことによって、弾性片８２と突爪８３は拘束され、光コネクタ８０と受け側コネクタ９０の接続が完了する。
接続完了後、光コネクタ接続治具１を後方に後退させることで、光コネクタ接続治具１は光コネクタ８０から離脱させることができる。
【００４８】
次に、光コネクタ接続治具１を用いた光コネクタ８０の取り外し方法について説明する。図１４は、光コネクタ接続治具１を用いて、光コネクタ８０を取り外す様子を示す斜視図であり、光コネクタ接続治具１の第２収容部６に光コネクタ８０が収容された状態で、光コネクタ８０が取り外される様子を示している。光コネクタ接続治具１は、第２収容部６が下側に、第１収容部５が上側になるように使用される。
なお、取外し工程においては、押圧部材３は使用されず、治具本体２のみによる作用によって、光コネクタ８０の取外しが行われる。
【００４９】
次に、図１５〜図１７を参照して、接続工程の詳細について説明する。
図１５は、第２収容部６に光コネクタ８０を収容した状態で、光コネクタ接続治具１を接続方向後方に移動させた様子を示している。光コネクタ接続治具１を接続方向後方に移動させることによって、第２収容部６の第２規制部６６の後端６６ａが、ハウジング８６の凸部８７に当接する。
【００５０】
さらに、光コネクタ接続治具１を後方に移動させると、第２収容部６の第２規制部６６がハウジング８６の凸部８７を押圧することによって、図１６に示すように、ハウジング８６が後方に移動する。これにより、弾性片８２の前方部分が露出される。
【００５１】
さらに、光コネクタ接続治具１を後方に移動させると、図１７に示すように、突爪８７が受け側コネクタ９０の係止部９１から離脱し、光コネクタ８０を取り外すことができる。
【００５２】
本実施形態によれば、押圧部材３が治具本体２に対して後退可能に構成されていることによって、治具本体２の第１規制部６１が光コネクタ８０のハウジング８６のみについて受け部３３とともに所定距離以上後退しないように規制した状態で前進させることができ、使用者は、光コネクタ接続治具１を前方に動かすだけで、光コネクタ８０を受け側コネクタ９０に接続することができる。
また、光コネクタ８０のスプリング８４に対して光コネクタ接続治具１のスプリング４のばね定数を十分に大きくしたことによって、治具本体２に対して押圧部材３を後退させることなく、係合部材８１をハウジング８６から突出させた状態で光コネクタ接続治具１を接続方向前方に移動させることができる。
【００５３】
なお、本実施形態においては、スプリング４として圧縮コイルばねを使用したが、これに限ることはなく、例えば、空気バネを用いて付勢する構成としてもよい。
【符号の説明】
【００５４】
１…光コネクタ着脱治具、２…治具本体、３…押圧部材、４…コイルスプリング（付勢部材）、５…第１収容部、６…第２収容部、７…操作部、３３…受け部、４１…第１側壁部、４２…第２側壁部、４３…第１空間、４４…第２空間、６１…第１底部、６２…第１規制部、６３…コネクタ把持部（把持部）、６５…第２底部、６６…第２規制部、６７…コネクタ把持部（把持部）、８０…光コネクタ、８１…係合部材、８５…フェルール、８６…ハウジング、８７…凸部、９０…受け側コネクタ、９７…係止部、９９…基板。
【図１】
2012058392.tif 000003
【図２】
2012058392.tif 000004
【図３】
2012058392.tif 000005
【図４】
2012058392.tif 000006
【図５】
2012058392.tif 000007
【図６】
2012058392.tif 000008
【図７】
2012058392.tif 000009
【図８】
2012058392.tif 000010
【図９】
2012058392.tif 000011
【図１０】
2012058392.tif 000012
【図１１】
2012058392.tif 000013
【図１２】
2012058392.tif 000014
【図１３】
2012058392.tif 000015
【図１４】
2012058392.tif 000016
【図１５】
2012058392.tif 000017
【図１６】
2012058392.tif 000018
【図１７】
2012058392.tif 000019